(57)【要約】【課題】出隅部の壁体の厚さが厚くなることを抑制すると共に出隅部の施工性を向上させることができる壁材の取付構造及び壁材の取付方法を得る。【解決手段】取付構造３０は、第１仕上材３２と、第２仕上材３４と、下地金具３６とを有する。第１仕上材３２は、Ｙ方向に延在され、Ｘ方向において鉄骨柱２２と間隔をあけて配置され且つ第１角スタッド２４に取付けられている。第２仕上材３４は、Ｘ方向に延在され、Ｙ方向において鉄骨柱２２と間隔をあけて配置され、第１仕上材３２のＹ方向の端面３３が突当てられ且つ第２角スタッド２６に取付けられている。下地金具３６は、第１角スタッド２４からＹ方向に離れて第１仕上材３２に留付けられた第１被留付部３７と、第２角スタッド２６からＸ方向に離れて第２仕上材３４に留付けられた第２被留付部３８と、を備える。【選択図】図２
2020084649.tif 000002
【特許請求の範囲】
【請求項１】
柱と、該柱と一方向に対向する第１下地材と、該一方向と交差する交差方向に該柱と対向する第２下地材と、を有する出隅部における壁材の取付構造であって、
前記一方向に延在され、前記交差方向において前記柱と間隔をあけて配置され且つ前記第１下地材に取付けられた前記壁材としての第１壁材と、
前記交差方向に延在され、前記一方向において前記柱と間隔をあけて配置され、前記第１壁材の前記一方向の先端が突当てられ且つ前記第２下地材に取付けられた前記壁材としての第２壁材と、
前記第１下地材から前記一方向に離れて前記柱と前記第１壁材との間に配置され且つ前記第１壁材に留付けられた第１被留付部と、前記第２下地材から前記交差方向に離れて前記柱と前記第２壁材との間に配置され且つ前記第２壁材に留付けられた第２被留付部と、を備えた被留付部材と、
を有する前記壁材の取付構造。
【請求項２】
前記第１壁材と前記第１被留付部との間には、前記第１壁材と前記第１被留付部とを接着させる接着部が設けられている請求項１に記載の壁材の取付構造。
【請求項３】
柱と、該柱と一方向に対向する第１下地材と、該一方向と交差する交差方向に該柱と対向する第２下地材と、を有する出隅部における壁材の取付方法であって、
前記一方向に延在された第１被留付部及び前記交差方向に延在された第２被留付部を備えた被留付部材の該第１被留付部を、前記壁材としての第１壁材に留付ける工程と、
前記第１壁材を前記被留付部材から離れた前記第１下地材に取付ける工程と、
前記壁材としての第２壁材を、前記一方向に前記柱と間隔をあけて且つ前記第１壁材と接触させた状態で、前記被留付部材から離れた前記第２下地材に取付ける工程と、
前記第２被留付部を前記第２壁材に留付ける工程と、
を有する前記壁材の取付方法。
【請求項４】
前記第１被留付部を前記第１壁材に留付ける工程は、
前記第２壁材が前記第２下地材に取付けられる前に前記第１被留付部を前記第１壁材に接着することで仮止めする工程と、
前記第２被留付部が前記第２壁材に留付けられた後で、前記第１被留付部を前記第１壁材に本留めする工程と、
を有する請求項３に記載の壁材の取付方法。
【発明の詳細な説明】
【技術分野】
【０００１】
本発明は、壁材の取付構造及び壁材の取付方法に関する。
【背景技術】
【０００２】
特許文献１の出隅部では、互いに垂直でＬ字形を形成する２つの胴縁が、出隅部分となる柱の２辺に端部を揃えた状態で釘により固定されている。
【先行技術文献】
【特許文献】
【０００３】
【特許文献１】実用新案登録第３１６５５５１号公報
【発明の概要】
【発明が解決しようとする課題】
【０００４】
ところで、特許文献１の出隅部のように、壁材が取付けられる下地材が留付部材を用いて柱に固定される構成では、柱が硬い場合に、留付部材が折れる等の理由により、下地材を柱に固定することが難しい。つまり、特許文献１の構成では、出隅部の施工性が低い。
【０００５】
一方、出隅部において、柱から離れた場所に下地材が立設され、該下地材に下地金具が取付けられた後で、該下地金具に壁材が取付けられる取付構造がある。この取付構造では、下地材を柱に固定する必要が無い点で施工は容易となるが、下地材と壁材との間に下地金具があるので、締結部材等を用いて壁材を下地材に取付ける場合に、締結部材が下地金具を貫通するように施工しなくてはならない。このため、この取付構造では、施工性が低い。また、この取付構造では、下地金具の厚さの分だけ出隅部の壁体の厚さが厚くなってしまう。まとめると、出隅部の壁体の厚さが厚くなることを抑制すると共に出隅部の施工性を向上させるには、改善の余地がある。
【０００６】
本発明は、出隅部の壁体の厚さが厚くなることを抑制すると共に出隅部の施工性を向上させることができる壁材の取付構造及び壁材の取付方法を得ることが目的である。
【課題を解決するための手段】
【０００７】
第１態様に係る壁材の取付構造は、柱と、該柱と一方向に対向する第１下地材と、該一方向と交差する交差方向に該柱と対向する第２下地材と、を有する出隅部における壁材の取付構造であって、前記一方向に延在され、前記交差方向において前記柱と間隔をあけて配置され且つ前記第１下地材に取付けられた前記壁材としての第１壁材と、前記交差方向に延在され、前記一方向において前記柱と間隔をあけて配置され、前記第１壁材の前記一方向の先端が突当てられ且つ前記第２下地材に取付けられた前記壁材としての第２壁材と、前記第１下地材から前記一方向に離れて前記柱と前記第１壁材との間に配置され且つ前記第１壁材に留付けられた第１被留付部と、前記第２下地材から前記交差方向に離れて前記柱と前記第２壁材との間に配置され且つ前記第２壁材に留付けられた第２被留付部と、を備えた被留付部材と、を有する。
【０００８】
第１態様に係る壁材の取付構造では、第１壁材の先端が第２壁材に突当てられ、第１被留付部が第１壁材に留付けられ、第２被留付部が第２壁材に留付けられている。また、第１壁材が第１下地材に取付けられ、第２壁材が第２下地材に取付けられている。これにより、出隅部の壁体が形成されている。ここで、第１被留付部は第１下地材から離れており、第２被留付部は第２下地材から離れている。つまり、第１壁材と第１下地材との間、第２壁材と第２下地材との間には、下地金具のような部材が無い。これにより、出隅部の壁体の厚さが厚くなることを抑制することができる。
【０００９】
さらに、第１態様に係る壁材の取付構造では、第１壁材と第１下地材との間、第２壁材と第２下地材との間に下地金具のような部材が無いことで、第１壁材、第２壁材を第１下地材、第２下地材に簡単に取付けられるので、出隅部の施工性を向上させることができる。まとめると、第１態様に係る壁材の取付構造では、出隅部の壁体の厚さが厚くなることを抑制すると共に出隅部の施工性を向上させることができる。
【００１０】
第２態様に係る壁材の取付構造の前記第１壁材と前記第１被留付部との間には、前記第１壁材と前記第１被留付部とを接着させる接着部が設けられている。
【００１１】
第２態様に係る壁材の取付構造では、第１被留付部が接着部によって第１壁材に接着されることで、被留付部材が第１壁材に仮止めされる。このため、被留付部材が第１壁材に本留めされる前の段階で、第１壁材と第２壁材とが接触された場合に、被留付部材の位置ずれが抑制される。ここで、被留付部材が第１壁材に留付けられる場合に、第１壁材が第２壁材と接触されている。このため、留付け動作によって、第１壁材の端部に変形が生じるような力が作用することがあっても、この変形の拡大が第２壁材によって規制される。これにより、被留付部材が第１壁材に留付けられる場合に、第１壁材の端部が変形するのを抑制することができる。
【００１２】
第３態様に係る壁材の取付方法は、柱と、該柱と一方向に対向する第１下地材と、該一方向と交差する交差方向に該柱と対向する第２下地材と、を有する出隅部における壁材の取付方法であって、前記一方向に延在された第１被留付部及び前記交差方向に延在された第２被留付部を備えた被留付部材の該第１被留付部を、前記壁材としての第１壁材に留付ける工程と、前記第１壁材を前記被留付部材から離れた前記第１下地材に取付ける工程と、前記壁材としての第２壁材を、前記一方向に前記柱と間隔をあけて且つ前記第１壁材と接触させた状態で、前記被留付部材から離れた前記第２下地材に取付ける工程と、前記第２被留付部を前記第２壁材に留付ける工程と、を有する。
【００１３】
第３態様に係る壁材の取付方法では、被留付部材の第１被留付部が、第１壁材に留付けられる。第１壁材が、被留付部材から離れた第１下地材に取付けられる。第２壁材が、一方向に柱と間隔をあけて且つ第１壁材と接触された状態で、被留付部材から離れた第２下地材に取付けられる。そして、第２被留付部が第２壁材に留付けられる。これにより、出隅部の壁体が形成される。ここで、第１被留付部は第１下地材から離れており、第２被留付部は第２下地材から離れている。つまり、第１壁材と第１下地材との間、第２壁材と第２下地材との間には、下地金具のような部材が無い。これにより、出隅部の壁体の厚さが厚くなることを抑制することができる。
【００１４】
さらに、第３態様に係る壁材の取付方法では、第１壁材と第１下地材との間、第２壁材と第２下地材との間に下地金具のような部材が無いことで、第１壁材、第２壁材を第１下地材、第２下地材に簡単に取付けられるので、出隅部の施工性を向上させることができる。まとめると、第３態様に係る壁材の取付方法では、出隅部の壁体の厚さが厚くなることを抑制すると共に出隅部の施工性を向上させることができる。
【００１５】
第４態様に係る壁材の取付方法の前記第１被留付部を前記第１壁材に留付ける工程は、前記第２壁材が前記第２下地材に取付けられる前に前記第１被留付部を前記第１壁材に接着することで仮止めする工程と、前記第２被留付部が前記第２壁材に留付けられた後で、前記第１被留付部を前記第１壁材に本留めする工程と、を有する。
【００１６】
第４態様に係る壁材の取付方法では、第１被留付部が接着により第１壁材に仮止めされる。これにより、被留付部材の留付けが行われる前の段階で、第１壁材と第２壁材とが接触された場合に、被留付部材の位置がずれることが抑制されている。ここで、被留付部材が第１壁材に留付けられる場合に、被留付部材が第２壁材に留付けられている。さらに、第１壁材が第２壁材と接触されている。これにより、被留付部材が第１壁材に留付けられる場合に、留付け動作によって第１壁材の端部に変形が生じるような力が作用しても、この変形の拡大が、第１壁材と第２壁材との接触によって規制される。これにより、被留付部材が第１壁材に留付けられる場合に、第１壁材の端部が変形するのを抑制することができる。
【発明の効果】
【００１７】
以上説明したように、本発明に係る壁材の取付構造及び壁材の取付方法では、出隅部の壁体の厚さが厚くなることを抑制すると共に出隅部の施工性を向上させることができる。
【図面の簡単な説明】
【００１８】
【図１】本実施形態に係る取付構造が適用された出隅部の壁体の内部を示す部分斜視図である。
【図２】本実施形態に係る取付構造の部分横断面図である。
【図３】図２に示された取付構造における下地金具、第１仕上材及び第２仕上材を示す部分斜視図である。
【図４Ａ】本実施形態の建物の下ランナーに第１角スタッド及び第２角スタッドが立設された状態を示す部分斜視図である。
【図４Ｂ】図２に示された取付構造における第１仕上材に下地金具が仮止めされた状態を示す部分斜視図である。
【図４Ｃ】図４Ａに示された第１角スタッドに第１仕上材が取付けられた状態を示す部分斜視図である。
【図４Ｄ】図４Ｃに示された第２角スタッドに第２仕上材が取付けられた状態を示す部分斜視図である。
【図５Ａ】図４Ａに示された第１角スタッドに第１仕上材が取付けられた状態を示す部分横断面図である。
【図５Ｂ】図５Ａに示された第２角スタッドに第２仕上材が取付けられた状態を示す部分横断面図である。
【図５Ｃ】図５Ｂに示された第２仕上材が下地金具にタッピングネジを用いて留付けられた状態を示す部分横断面図である。
【図５Ｄ】図５Ｃに示された第１仕上材が下地金具にタッピングネジを用いて留付けられた状態を示す部分横断面図である。
【発明を実施するための形態】
【００１９】
本実施形態に係る壁材の取付構造の一例について説明する。
【００２０】
[全体構成]
図１には、建物１０の一部を構成する壁体１２の内部が示されている。建物１０は、一例として、図示されない基礎上に柱部及び梁部を組み上げた鉄骨軸組構造の躯体と、該梁部に立設された壁体１２と、床壁１４と、天井壁１６とを含んで構成されている。梁部は、図示されない床梁及び天井梁を含んで構成されている。壁体１２の一部は、出隅部２０を形成している。なお、出隅部２０は、一例として、建物１０の屋内に形成されている。
【００２１】
以後の説明では、壁体１２が直立する方向（高さ方向）をＺ方向と称する。また、Ｚ方向と直交し且つ互いに直交する２方向をＸ方向、Ｙ方向と称する。Ｘ方向及びＹ方向は、出隅部２０を構成する２つの側面の配置方向に相当する。また、Ｙ方向は、一方向の一例である。Ｘ方向は、Ｙ方向と交差する交差方向の一例である。なお、Ｘ方向及びＹ方向について、一方側と他方側とを区別する必要がある場合には、出隅部２０の突出側を外側と称し、出隅部２０の窪み側を内側と称する。
【００２２】
出隅部２０は、柱の一例としての鉄骨柱２２と、第１下地材の一例としての第１角スタッド２４と、第２下地材の一例としての第２角スタッド２６と、壁材の取付構造の一例としての取付構造３０と、複数の内側仕上材２７（図２参照）とを有する。また、出隅部２０には、下ランナー２８と、図示されない上ランナーとが設けられている。
【００２３】
〔鉄骨柱〕
鉄骨柱２２は、Ｘ方向及びＹ方向に所定の間隔をあけて並び、Ｚ方向に立設されている。なお、出隅部２０の角部分を構成する鉄骨柱２２は、一例として、１本のみとなっている。このため、１本の鉄骨柱２２を図示して、残りの鉄骨柱２２の図示を省略する。また、鉄骨柱２２は、金属製であり、一例として、角形鋼で構成されている。鉄骨柱２２のＺ方向上端部及び下端部には、図示されない連結部材が設けられている。この連結部材は、図示されない床梁又は天井梁に固定されている。
【００２４】
図２に示される鉄骨柱２２は、一例として、四角筒状に形成されている。具体的には、鉄骨柱２２は、Ｚ方向から見た場合に、Ｙ方向内側の側面２２Ａと、Ｙ方向外側の側面２２Ｂと、Ｘ方向内側の側面２２Ｃと、Ｘ方向外側の側面２２Ｄとを有する。側面２２Ａ及び側面２２Ｂは、Ｘ方向に沿って配置されている。側面２２Ｃ及び側面２２Ｄは、Ｙ方向に沿って配置されている。
【００２５】
側面２２ＡのＸ方向の中央と、側面２２ＢのＸ方向の中央とを結ぶ仮想線を線Ａと称する。線Ａは、Ｙ方向に延びている。また、側面２２ＣのＹ方向の中央と、側面２２ＤのＹ方向の中央とを結ぶ仮想線を線Ｂと称する。線Ｂは、Ｘ方向に延びている。ここで、Ｚ方向から見た場合に、線Ａと線Ｂとの交点を点Ｃと称する。点Ｃは、鉄骨柱２２のＸ−Ｙ面内での中心位置を表している。
【００２６】
〔第１角スタッド〕
第１角スタッド２４は、一例として、軽鉄下地として構成されており、留付部材の一例としてのタッピングネジ２９を締結可能な材質で構成されている。第１角スタッド２４をＺ方向から見た場合の断面形状は、一例として、Ｘ方向に長くＹ方向に短い矩形状である。そして、第１角スタッド２４は、Ｚ方向を軸方向とする四角筒状に形成されている。また、第１角スタッド２４は、Ｙ方向に並ぶ２本の鉄骨柱２２の間において、一例として、Ｙ方向に間隔をあけて複数箇所（図示は２箇所）に設けられている。
【００２７】
具体的には、第１角スタッド２４は、Ｙ方向に対向配置された側壁２４Ａ及び側壁２４Ｂと、Ｘ方向に対向配置された側壁２４Ｃ及び側壁２４Ｄとが一体化された部材である。側壁２４Ａ及び側壁２４Ｂは、Ｘ−Ｚ面に沿って配置されている。側壁２４Ｃ及び側壁２４Ｄは、Ｙ−Ｚ面に沿って配置されている。第１角スタッド２４には、一例として、施工前にネジ孔は形成されていない。第１角スタッド２４の側壁２４Ａは、鉄骨柱２２の側面２２ＡとＹ方向に対向配置されている。
【００２８】
〔第２角スタッド〕
第２角スタッド２６は、一例として、軽鉄下地として構成されており、タッピングネジ２９を締結可能な材質で構成されている。第２角スタッド２６をＺ方向から見た場合の断面形状は、一例として、Ｙ方向に長くＸ方向に短い矩形状である。そして、第２角スタッド２６は、Ｚ方向を軸方向とする四角筒状に形成されている。また、第２角スタッド２６は、Ｘ方向に並ぶ２本の鉄骨柱２２の間において、一例として、Ｘ方向に間隔をあけて複数箇所（図示は２箇所）に設けられている。
【００２９】
具体的には、第２角スタッド２６は、Ｘ方向に対向配置された側壁２６Ａ及び側壁２６Ｂと、Ｙ方向に対向配置された側壁２６Ｃ及び側壁２６Ｄとが一体化された部材である。側壁２６Ａ及び側壁２６Ｂは、Ｙ−Ｚ面に沿って配置されている。側壁２６Ｃ及び側壁２６Ｄは、Ｘ−Ｚ面に沿って配置されている。第２角スタッド２６には、一例として、施工前にネジ孔は形成されていない。第２角スタッド２６の側壁２６Ａは、鉄骨柱２２の側面２２ＣとＸ方向に対向配置されている。
【００３０】
なお、本実施形態では、第１角スタッド２４と第２角スタッド２６とについて、一例として同じ部材が用いられているが、第１角スタッド２４と第２角スタッド２６とが異なる部材（大きさ、形状、材質等が異なるもの）で構成されていてもよい。
【００３１】
〔下ランナー〕
図１に示される下ランナー２８は、図示されない上ランナーとＺ方向に間隔をあけて配置され、Ｘ方向及びＹ方向にそれぞれ延在されている。また、下ランナー２８は、延在方向から見た場合の断面形状が、Ｚ方向の上側に向けて開口する略Ｕ字状に形成されている。さらに、下ランナー２８は、図示されない床梁にブラケットを介して取付けられている。上ランナーは、図示されない天井梁にブラケットを介して取付けられている。なお、上ランナーの構成は、一例として、鉄骨柱２２のＺ方向の中央位置に対して、下ランナー２８とほぼ対称な構成とされている。このため、上ランナーの具体的な説明は省略する。
【００３２】
ここで、第１角スタッド２４及び第２角スタッド２６のＺ方向下端部は、下ランナー２８上に載置され且つ下ランナー２８によってＸ方向に挟まれた状態で、図示されないビスを用いて、下ランナー２８に取付けられている。これにより、第１角スタッド２４及び第２角スタッド２６は、下ランナー２８からＺ方向に直立されている。第１角スタッド２４及び第２角スタッド２６のＺ方向上端部は、図示しない上ランナーに取付けられている。
【００３３】
〔内側仕上材〕
図２に示される複数の内側仕上材２７は、一例として、石膏ボードで構成されている。一方の内側仕上材２７は、Ｘ方向を厚さ方向として、第１角スタッド２４に対してＸ方向の内側から接触され、タッピングネジ２９により第１角スタッド２４に取付けられている。他方の内側仕上材２７は、Ｙ方向を厚さ方向として、第２角スタッド２６に対してＹ方向の内側から接触され、タッピングネジ２９により第２角スタッド２６に取付けられている。ここで、２つの内側仕上材２７によって、内隅部２１が形成されている。
【００３４】
[取付構造]
次に、取付構造３０について説明する。
【００３５】
図２に示される取付構造３０は、壁材３１と、被留付部材の一例としての下地金具３６と、接着部の一例としての両面テープ４２（図３参照）とを有する。壁材３１は、第１壁材の一例としての第１仕上材３２と、第２壁材の一例としての第２仕上材３４とを有する。
【００３６】
〔第１仕上材〕
第１仕上材３２は、一例として、石膏ボードで構成されている。また、第１仕上材３２は、Ｘ方向において鉄骨柱２２と間隔をあけて且つＸ方向を厚さ方向として（Ｙ−Ｚ面に沿って）配置されており、Ｙ方向及びＺ方向に延在されている。Ｚ方向から見た場合に、第１仕上材３２のＹ方向の長さは、隣り合う２本の第１角スタッド２４のＹ方向の間隔に相当する長さよりも長い。なお、鉄骨柱２２とＸ方向に間隔をあけて対向する部位は、第１仕上材３２のＹ方向の端部である。
【００３７】
さらに、第１仕上材３２は、第１角スタッド２４に対してＸ方向の外側から接触され、タッピングネジ２９により第１角スタッド２４に取付けられている。加えて、第１仕上材３２は、複数の第１角スタッド２４に取付けられた状態において、鉄骨柱２２に最も近い第１角スタッド２４よりも、Ｙ方向の外側へ延在されている。具体的には、第１仕上材３２は、第１角スタッド２４から鉄骨柱２２の側面２２ＢよりもＹ方向の外側まで延在されている。
【００３８】
第１仕上材３２におけるＸ方向の外側の側面を側面３２Ａと称する。第１仕上材３２におけるＸ方向の内側の側面を側面３２Ｂと称する。側面３２Ａ及び側面３２Ｂは、Ｙ−Ｚ面に沿った平面とされている。第１仕上材３２におけるＹ方向の外端となる面を端面３３と称する。端面３３は、第１仕上材３２のＹ方向の先端の一例である。また、端面３３は、Ｘ−Ｚ面に沿った平面とされている。さらに、端面３３は、Ｘ方向から見た場合に、第２角スタッド２６の側壁２６ＣのＹ方向外側面と重なるように配置されている。
【００３９】
側面３２ＢのＹ方向外側端部には、後述する下地金具３６がタッピングネジ２９により留付けられている。ここで、鉄骨柱２２を第１仕上材３２に（Ｘ方向に）投影した状態において、側面２２Ｂから端面３３までのＹ方向の長さをＬ１とする。長さＬ１は、タッピングネジ２９の最大外径に相当する長さに、後述する下地金具３６の厚さに相当する長さを加えた長さよりも長い。これにより、タッピングネジ２９を第１仕上材３２の外側端部にねじ込んだ場合に、第１仕上材３２及び下地金具３６をＸ方向に貫通したタッピングネジ２９の先端部が、鉄骨柱２２と接触することが抑制されている。
【００４０】
〔第２仕上材〕
第２仕上材３４は、一例として、石膏ボードで構成されている。また、第２仕上材３４は、Ｙ方向において鉄骨柱２２と間隔をあけて且つＹ方向を厚さ方向として（Ｘ−Ｚ面に沿って）配置されており、Ｘ方向及びＺ方向に延在されている。Ｚ方向から見た場合に、第２仕上材３４のＸ方向の長さは、隣り合う２本の第２角スタッド２６のＸ方向の間隔に相当する長さよりも長い。なお、鉄骨柱２２とＹ方向に間隔をあけて対向する部位は、第２仕上材３４のＸ方向の端部である。
【００４１】
さらに、第２仕上材３４は、第２角スタッド２６に対してＹ方向の外側から接触され、タッピングネジ２９により第２角スタッド２６に取付けられている。加えて、第２仕上材３４は、複数の第２角スタッド２６に取付けられた状態において、鉄骨柱２２に最も近い第２角スタッド２６よりも、Ｘ方向の外側へ延在されている。具体的には、第２仕上材３４は、第２角スタッド２６から鉄骨柱２２の側面２２ＤよりもＸ方向の外側で、且つ側面３２ＡとＹ方向に並ぶ位置まで延在されている。
【００４２】
第２仕上材３４におけるＹ方向の外側の側面を側面３４Ａと称する。第２仕上材３４におけるＹ方向の内側の側面を側面３４Ｂと称する。側面３４Ａ及び側面３４Ｂは、Ｘ−Ｚ面に沿った平面とされている。第２仕上材３４におけるＸ方向の外端となる面を端面３５と称する。端面３５は、第２仕上材３４の先端の一例である。また、端面３５は、Ｙ−Ｚ面に沿った平面とされている。さらに、端面３５は、Ｚ方向から見た場合に、側面３２Ａと面一となるように配置されている。
【００４３】
本実施形態では、第１仕上材３２の端面３３が、第２仕上材３４の側面３４ＢにおけるＸ方向外側端部に、Ｙ方向に沿って突当てられている。これにより、Ｚ方向から見た場合に、第１仕上材３２と第２仕上材３４とがＬ字状に配置されている。
【００４４】
側面３４ＢのＸ方向外側端部には、後述する下地金具３６が、タッピングネジ２９により留付けられている。ここで、側面２２Ｄから側面３２ＢまでのＸ方向の長さをＬ２とする。長さＬ２は、タッピングネジ２９の最大外径に相当する長さに後述する下地金具３６の厚さに相当する長さを加えた長さよりも長い。これにより、タッピングネジ２９を第２仕上材３４の外側端部にねじ込んだ場合に、第２仕上材３４及び下地金具３６をＹ方向に貫通したタッピングネジ２９の先端部が、鉄骨柱２２と接触することが抑制されている。
【００４５】
なお、本実施形態では、第１仕上材３２と第２仕上材３４とについて、一例として同じ部材が用いられているが、第１仕上材３２と第２仕上材３４とが異なる部材（大きさ、形状、材質等が異なるもの）として構成されていてもよい。また、各部材において、タッピングネジ２９により留付けられた箇所は、それぞれ省略されて１箇所のみ図示されているが、実際は、各タッピングネジ２９は、Ｚ方向に間隔をあけて、複数箇所で留付けされている。
【００４６】
〔下地金具〕
図３に示される下地金具３６は、タッピングネジ２９（図２参照）をねじ込み可能な金属製（一例として鉄製）で且つＺ方向に長い部材である。下地金具３６のＺ方向の長さは、第１仕上材３２、第２仕上材３４のそれぞれのＺ方向の長さとほぼ同じ長さとされている。また、下地金具３６は、一例として、１枚の板金をプレス加工により１箇所でほぼ直角に屈曲させることで形成されている。つまり、下地金具３６のＸ−Ｙ面に沿った断面形状は、Ｌ字状とされている。
【００４７】
具体的には、下地金具３６は、タッピングネジ２９（図２参照）を用いて第１仕上材３２に留付けられた第１被留付部３７と、タッピングネジ２９を用いて第２仕上材３４に留付けられた第２被留付部３８と、を備えている。なお、下地金具３６の略円弧状の屈曲部分については、Ｚ方向から見て円弧を二等分して、一方側を第１被留付部３７に含め、他方側を第２被留付部３８に含めるものとする。この屈曲部分は、第１仕上材３２が第２仕上材３４に突当てられた部分における内隅側に配置されている。
【００４８】
＜第１被留付部＞
図２に示されるように、第１被留付部３７は、Ｘ方向を厚さ方向として配置されＹ−Ｚ面に沿った板状部である。第１被留付部３７のＸ方向の厚さに相当する長さは、既述の長さＬ２よりも短い。また、第１被留付部３７は、第１角スタッド２４からＹ方向の外側に離れて鉄骨柱２２と第１仕上材３２との間に配置されている。第１被留付部３７のＸ方向外側の側面３７Ａは、第１仕上材３２の側面３２Ｂと接触されている。換言すると、第１被留付部３７は、第１仕上材３２にＸ方向の内側から接触されている。
【００４９】
第１被留付部３７のＸ方向内側の側面３７Ｂは、鉄骨柱２２の側面２２ＤとＸ方向に間隔をあけて対向配置されている。側面３７Ｂと側面２２Ｄとの間隔に相当する長さは、タッピングネジ２９の最大外径に相当する長さよりも長い。これにより、第２仕上材３４を留付けるタッピングネジ２９が、側面３７Ｂと側面２２Ｄとの間に進入可能となっている。
【００５０】
第１被留付部３７のＹ方向の長さは、一例として、鉄骨柱２２のＹ方向の幅の半分と同程度の長さとされている。そして、第１被留付部３７のＹ方向内側端部（先端部）は、既述の線ＢよりもＹ方向の外側に配置されている。換言すると、第１被留付部３７のＹ方向内側端部は、Ｘ方向から見た場合に、鉄骨柱２２の中心となる点Ｃまで延びておらず、側壁２４ＡからＹ方向に離れて配置されている。つまり、第１被留付部３７は、第１角スタッド２４と第１仕上材３２との間には配置されない。
【００５１】
第１被留付部３７には、一例として、施工前にネジ孔（貫通孔）は形成されていない。第１被留付部３７と第１仕上材３２とがＸ方向に接触した状態で、タッピングネジ２９がＸ方向の外側から第１仕上材３２及び第１被留付部３７にＸ方向にねじ込まれることで、第１被留付部３７が第１仕上材３２に留付けられている。なお、第１被留付部３７におけるタッピングネジ２９がねじ込まれる部位は、第１被留付部３７におけるＹ方向中央よりも外側の部位であり、且つねじ込まれたタッピングネジ２９が鉄骨柱２２と第２被留付部３８との間に進入可能となる部位である。
【００５２】
＜第２被留付部＞
第２被留付部３８は、Ｙ方向を厚さ方向として配置されＸ−Ｚ面に沿った板状部である。第２被留付部３８のＹ方向の厚さに相当する長さは、既述の長さＬ１よりも短い。また、第２被留付部３８は、第２角スタッド２６からＸ方向の外側に離れて鉄骨柱２２と第２仕上材３４との間に配置されている。第２被留付部３８のＹ方向外側の側面３８Ａは、第２仕上材３４の側面３４Ｂと接触されている。換言すると、第２被留付部３８は、第２仕上材３４にＹ方向の内側から接触されている。
【００５３】
第２被留付部３８のＸ方向内側の側面３８Ｂは、鉄骨柱２２の側面２２ＢとＹ方向に間隔をあけて対向配置されている。側面３８Ｂと側面２２Ｂとの間隔に相当する長さは、タッピングネジ２９の最大外径に相当する長さよりも長い。これにより、第１仕上材３２を留付けるタッピングネジ２９が、側面３８Ｂと側面２２Ｂとの間に進入可能となっている。
【００５４】
第２被留付部３８のＸ方向の長さは、一例として、鉄骨柱２２のＸ方向の幅の半分と同程度の長さとされている。そして、第２被留付部３８のＸ方向内側端部（先端部）は、既述の線ＡよりもＸ方向の外側に配置されている。換言すると、第２被留付部３８のＸ方向内側端部は、Ｙ方向から見た場合に、鉄骨柱２２の中心となる点Ｃまで延びておらず、側壁２６ＡからＸ方向に離れて配置されている。つまり、第２被留付部３８は、第２角スタッド２６と第２仕上材３４との間には配置されない。
【００５５】
第２被留付部３８には、一例として、施工前にネジ孔（貫通孔）は形成されていない。第２被留付部３８と第２仕上材３４とがＹ方向に接触した状態で、タッピングネジ２９がＹ方向の外側から第２仕上材３４及び第２被留付部３８にＹ方向にねじ込まれることで、第２被留付部３８が第２仕上材３４に留付けられている。なお、第２被留付部３８におけるタッピングネジ２９がねじ込まれる部位は、第２被留付部３８におけるＹ方向中央よりも外側の部位であり、且つねじ込まれたタッピングネジ２９が鉄骨柱２２と第１被留付部３７との間に進入可能となる部位である。
【００５６】
〔両面テープ〕
図３に示される両面テープ４２は、厚さ方向となるＸ方向の一方側の面及び他方側の面に、図示しない接着層が形成された部材である。また、両面テープ４２は、一例として、第１仕上材３２と第１被留付部３７との間に設けられている。そして、両面テープ４２は、第１仕上材３２と第１被留付部３７とをＸ方向に接着させている。両面テープ４２の大きさ及び形状は、一例として、第１被留付部３７の大きさ及び形状と同じとされている。これにより、第１被留付部３７の側面３７Ａのほぼ全体が、第１仕上材３２に接着されている。
【００５７】
〔作用〕
次に、本実施形態の取付構造３０の作用及び壁材３１の取付方法の作用について説明する。
【００５８】
図４Ａに示されるように、鉄骨柱２２が立設された後で、下ランナー２８及び図示しない上ランナーが設けられる。そして、第１角スタッド２４及び第２角スタッド２６が、下ランナー２８及び図示しない上ランナーに対して立設される。
【００５９】
一方、図４Ｂに示されるように、第１被留付部３７を、両面テープ４２（図３参照）を用いて第１仕上材３２の側面３２ＢにおけるＹ方向外側端部に接着することで、下地金具３６が第１仕上材３２に仮止めされる。この仮止め工程は、第２仕上材３４（図２参照）が第２角スタッド２６（図２参照）に取付けられる前に行われる。
【００６０】
次に、図４Ｃ及び図５Ａに示されるように、第１仕上材３２が、タッピングネジ２９（図５Ａ参照）によって、第１角スタッド２４（側壁２４Ｃ）にＸ方向に取付けられる。第１仕上材３２及び下地金具３６のＹ方向の取付位置は、予め実施された床部への墨打ちにより決められている。これにより、端面３３、側面３８Ａ及び第２角スタッド２６のＹ方向外側の側面が、Ｘ方向に沿って面一とされる。なお、内側仕上材２７（図５Ａ参照）は、予め、第１角スタッド２４及び第２角スタッド２６に取付けられているものとする。
【００６１】
次に、図４Ｄ及び図５Ｂに示されるように、側面３２Ａと端面３５とが面一となるように、第２仕上材３４が、第１仕上材３２及び下地金具３６（第２被留付部３８）に接触される。換言すると、第１仕上材３２及び下地金具３６は、第２仕上材３４に対してＹ方向に突当てられた状態となっている。この接触状態において、第２仕上材３４が、タッピングネジ２９によって第２角スタッド２６にＹ方向に取付けられる。
【００６２】
次に、図５Ｃに示されるように、第２被留付部３８が、タッピングネジ２９によって、第２仕上材３４にＹ方向に留付けられる。ここで、タッピングネジ２９がねじ込まれる位置は、端面３５から第１仕上材３２の厚さに相当する長さ以上の長さでＸ方向に離れた位置となっている。さらに、第２仕上材３４は、タッピングネジ２９がねじ込まれるＹ方向において、第１仕上材３２と接触されている。換言すると、端面３３が第２仕上材３４に突当てられている。これにより、タッピングネジ２９が、第２被留付部３８のＸ方向の外側端部にねじ込まれた場合に、第２仕上材３４のＹ方向の変位が、第１仕上材３２によって規制されるので、第２仕上材３４のＸ方向外側端部が変形するのを抑制することができる。
【００６３】
次に、図５Ｄに示されるように、第１被留付部３７が、タッピングネジ２９によって、第１仕上材３２にＸ方向に留付けられる（本留めされる）。ここで、第１仕上材３２は、タッピングネジ２９がねじ込まれるＸ方向に対して直交するＹ方向において、第２仕上材３４と接触されている。このため、タッピングネジ２９が、第１仕上材３２のＹ方向の外側端部にＸ方向にねじ込まれた場合には、第１仕上材３２のＹ方向の変形が、第２仕上材３４によって規制される。これにより、第１仕上材３２のＹ方向外側端部が変形するのを抑制することができる。なお、第１被留付部３７を第１仕上材３２に留付けるタッピングネジ２９の留付位置は、第２被留付部３８を第２仕上材３４に留付けるタッピングネジ２９の留付位置に対して、Ｚ方向にずれている。このようにして、取付構造３０、出隅部２０及び壁体１２が構築される。さらに、第１仕上材３２及び第２仕上材３４の外側には、図示しない壁紙が貼付けられる。
【００６４】
以上、説明したように、取付構造３０では、第１仕上材３２の端面３３が第２仕上材３４に突当てられた状態で、第１被留付部３７が第１仕上材３２に留付けられ、第２被留付部３８が第２仕上材３４に留付けられている。また、第１仕上材３２が第１角スタッド２４に取付けられ、第２仕上材３４が第２角スタッド２６に取付けられている。これにより、出隅部２０の壁体１２が形成されている。
【００６５】
ここで、第１被留付部３７は、第１角スタッド２４から離れており、第２被留付部３８は、第２角スタッド２６から離れている。つまり、第１仕上材３２と第１角スタッド２４との間、第２仕上材３４と第２角スタッド２６との間には、下地金具３６が無い。これにより、下地金具３６の厚さに相当する分だけ、出隅部２０の壁体１２の厚さが厚くなることを抑制することができる。
【００６６】
さらに、取付構造３０では、第１仕上材３２と第１角スタッド２４との間、及び第２仕上材３４と第２角スタッド２６との間に下地金具３６が無いことで、第１仕上材３２、第２仕上材３４を、第１角スタッド２４、第２角スタッド２６に簡単に取付けられる。これにより、出隅部２０の施工性を向上させることができる。まとめると、取付構造３０では、出隅部２０の壁体１２の厚さが厚くなることを抑制すると共に出隅部２０の施工性を向上させることができる。
【００６７】
また、取付構造３０では、第１被留付部３７が両面テープ４２によって第１仕上材３２に接着されることで、下地金具３６が第１仕上材３２に仮止めされる。このため、下地金具３６が第１仕上材３２に本留めされる前の段階で、第１仕上材３２と第２仕上材３４とが接触された場合に、下地金具３６に押付力が作用することがあっても、両面テープ４２の接着力により保持された下地金具３６が、この押付力に抵抗する。これにより、下地金具３６の位置ずれが抑制される。
【００６８】
ここで、下地金具３６が第１仕上材３２に留付けられる場合に、第１仕上材３２が第２仕上材３４と接触されている。このため、下地金具３６の留付け動作によって、第１仕上材３２の端部に変形が生じるような力が作用することがあっても、この変形の拡大が、第２仕上材３４によって規制される。これにより、下地金具３６が第１仕上材３２に留付けられる場合に、第１仕上材３２の端部が変形するのを抑制することができる。
【００６９】
次に、壁材３１の取付方法では、下地金具３６の第１被留付部３７が、第１仕上材３２に留付けられる。第１仕上材３２が、下地金具３６から離れた第１角スタッド２４に取付けられる。第２仕上材３４が、Ｙ方向に鉄骨柱２２と間隔をあけて且つ第１仕上材３２と接触された状態で、下地金具３６から離れた第２角スタッド２６に取付けられる。そして、第２被留付部３８が第２仕上材３４に留付けられる。これにより、出隅部２０の壁体１２が形成される。
【００７０】
ここで、第１被留付部３７は第１角スタッド２４から離れており、第２被留付部３８は第２角スタッド２６から離れている。つまり、第１仕上材３２と第１角スタッド２４との間、第２仕上材３４と第２角スタッド２６との間には、下地金具３６が無い。これにより、出隅部２０の壁体１２の厚さが厚くなることを抑制することができる。
【００７１】
さらに、壁材３１の取付方法では、第１仕上材３２と第１角スタッド２４との間、第２仕上材３４と第２角スタッド２６との間に、下地金具３６が無い。このため、第１仕上材３２、第２仕上材３４を、第１角スタッド２４、第２角スタッド２６に簡単に取付けられるので、出隅部２０の施工性を向上させることができる。まとめると、壁材３１の取付方法では、出隅部２０の壁体１２の厚さが厚くなることを抑制すると共に出隅部２０の施工性を向上させることができる。
【００７２】
また、壁材３１の取付方法では、第１被留付部３７が接着により第１仕上材３２に仮止めされる。これにより、下地金具３６の留付け前の段階で、第１仕上材３２と第２仕上材３４とが接触された場合に、下地金具３６の位置がずれることが抑制されている。
【００７３】
ここで、下地金具３６が第１仕上材３２に留付けられる（本留めされる）場合に、下地金具３６が既に第２仕上材３４に留付けられている。さらに、第１仕上材３２が第２仕上材３４と接触されている（突当てられている）。これにより、下地金具３６が第１仕上材３２に留付けられる場合に、下地金具３６の留付け動作によって、第１仕上材３２の端部に変形が生じるような力が作用することがあっても、この変形の拡大が、第２仕上材３４によって規制される。これにより、下地金具３６が第１仕上材３２に留付けられる場合に、第１仕上材３２の端部が変形するのを抑制することができる。
【００７４】
なお、本発明は上記の実施形態に限定されない。
【００７５】
取付構造３０において、両面テープ４２を用いなくてもよい。つまり、第２仕上材３４を第２被留付部３８に留付ける前に、予め、第１仕上材３２にタッピングネジ２９を用いて第１被留付部３７を留付けておいてもよい。また、タッピングネジ２９の軸方向の長さが、タッピングネジ２９の先端が鉄骨柱２２まで届かない長さに設定されている場合には、タッピングネジ２９を鉄骨柱２２に向けてねじ込んでもよい。
【００７６】
下地金具３６において、第１被留付部３７は、第１角スタッド２４と接触しないのであれば、線Ｂよりも第１角スタッド２４側まで延びていてもよい。第２被留付部３８は、第２角スタッド２６と接触しないのであれば、線Ａよりも第２角スタッド２６側まで延びていてもよい。また、下地金具３６において、第１被留付部３７のＸ方向の厚さと、第２被留付部３８のＹ方向の厚さとは、同じであっても、異なっていてもよい。さらに、下地金具３６において、第１被留付部３７のＹ方向の長さと、第２被留付部３８のＸ方向の長さとは、同じであっても、異なっていてもよい。
【００７７】
また、被留付部材は、下地金具３６のように、１枚の板金を屈曲させた部材に限らない。２つの板材が接着、溶接等による接合で一体化された部材であってもよい。さらに、被留付部材は、Ｚ方向から見た場合に、中実の部材に限らず、外形がＬ字状に形成された中空の部材であってもよい。第１被留付部及び第２被留付部は、Ｚ方向から見た場合に、一方が中実（板状）で他方が中空であってもよい。
【００７８】
接着部は、両面テープ４２に限らず、接着剤が塗布されることで形成された接着層であってもよい。また、各部材を留付ける留付部材（留付具）は、タッピングネジ２９に限らず、ビス等の締結部材や、釘等であってもよい。
【００７９】
第１仕上材３２、第２仕上材３４が取付けられる下地材は、第１角スタッド２４や第２角スタッド２６のような金属製で中空の部材に限らず、例えば、木製で中実の部材であってもよい。
【００８０】
壁材３１の取付方法において、第２仕上材３４が第２角スタッド２６に取付けられる前に、タッピングネジ２９により第１被留付部３７を第１仕上材３２に本留めしてもよい。
【００８１】
各部材の留付け部位において、タッピングネジ２９を用いた留付け箇所は、それぞれ１箇所に限らず、複数箇所であってもよい。
【００８２】
出隅部２０は、建物１０の屋内側に配置されたものに限らず、建物１０の屋外側に向けて露出されたものであってもよい。
【符号の説明】
【００８３】
１０  建物
２０  出隅部
２２  鉄骨柱（柱の一例）
２４  第１角スタッド（第１下地材の一例）
２６  第２角スタッド（第２下地材の一例）
３０  取付構造（壁材の取付構造の一例）
３１  壁材
３２  第１仕上材（第１壁材の一例）
３３  端面（先端の一例）
３４  第２仕上材（第２壁材の一例）
３６  下地金具（被留付部材の一例）
３７  第１被留付部
３８  第２被留付部
４２  両面テープ（接着部の一例）
【図１】
2020084649.tif 000003
【図２】
2020084649.tif 000004
【図３】
2020084649.tif 000005
【図４Ａ】
2020084649.tif 000006
【図４Ｂ】
2020084649.tif 000007
【図４Ｃ】
2020084649.tif 000008
【図４Ｄ】
2020084649.tif 000009
【図５Ａ】
2020084649.tif 000010
【図５Ｂ】
2020084649.tif 000011
【図５Ｃ】
2020084649.tif 000012
【図５Ｄ】
2020084649.tif 000013